(57)【要約】【課題】装着により通信可能な状態とすることのできるＳＩＭカードを判断する。【解決手段】移動通信端末１は、現在位置で利用可能な通信ネットワークを検出し、記憶部３に記憶されているＳＩＭカード情報２０で特定されるＳＩＭカードのうち、上記検出した通信ネットワークを使用するためのＳＩＭカードを、装着すべきＳＩＭカードと判断する最適ＳＩＭ判定部１０を備えている。【選択図】図１
2013255081.tif 000002
【特許請求の範囲】
【請求項１】
特定の通信ネットワークを使用するための記録媒体を装着して、装着した記録媒体に応じた通信ネットワークを介した通信を行う通信装置であって、
装着の候補となる記録媒体を特定する媒体特定情報を記憶する記憶部と、
上記通信装置の現在位置で利用可能な通信ネットワークを検出する検出手段と、
上記記憶部に記憶されている上記媒体特定情報で特定される記録媒体のうち、上記検出手段が検出した通信ネットワークを使用するための記録媒体を、装着すべき記録媒体と判断する判断手段とを備えていることを特徴とする通信装置。
【請求項２】
記録媒体を装着する装着部を備え、
上記判断手段は、上記記憶部に記憶されている上記媒体特定情報で特定される記録媒体、および上記装着部に装着中の記録媒体のうち、上記検出手段が検出した通信ネットワークを使用するための記録媒体を、装着すべき記録媒体と判断することを特徴とする請求項１に記載の通信装置。
【請求項３】
上記判断手段は、上記装着部に装着中の記録媒体のうち通信のために選択されている記録媒体により使用される通信ネットワークと、上記検出手段が検出した通信ネットワークのうち通信のために使用されている通信ネットワークとが一致しない場合に、装着すべき記録媒体を判断することを特徴とする請求項２に記載の通信装置。
【請求項４】
上記通信装置に装着された記録媒体から、該記録媒体を特定する媒体特定情報を読み出して上記記憶部に記憶する装着履歴記憶手段を備えていることを特徴とする請求項１から３の何れか１項に記載の通信装置。
【請求項５】
上記判断手段が装着すべきと判断した記録媒体をユーザに認識させるための情報を出力する出力手段を備えていることを特徴とする請求項１から４の何れか１項に記載の通信装置。
【請求項６】
特定の通信ネットワークを使用するための記録媒体を装着して、装着した記録媒体に応じた通信ネットワークを介した通信を行う通信装置による通信方法であって、
上記通信装置の現在位置で利用可能な通信ネットワークを検出する検出ステップと、
装着の候補となる記録媒体を特定する媒体特定情報を記憶する記憶部に記憶されている媒体特定情報で特定される記録媒体のうち、上記検出ステップで検出した通信ネットワークを使用するための記録媒体を、装着すべき記録媒体と判断する判断ステップとを含むことを特徴とする通信方法。
【請求項７】
請求項１から５の何れか１項に記載の通信装置を動作させるための制御プログラムであって、コンピュータを上記各手段として機能させるための制御プログラム。
【請求項８】
請求項７に記載の制御プログラムを記録したコンピュータ読み取り可能な記録媒体。
【発明の詳細な説明】
【技術分野】
【０００１】
本発明は、特定の通信ネットワークを介して通信するための情報を記録した、例えばＳＩＭカードのような記録媒体を装着して通信を行う通信装置に関し、より詳細には、状況に応じて装着すべき記録媒体を判断する通信装置等に関する。
【背景技術】
【０００２】
携帯電話機などの移動通信端末に装着されるＳＩＭ（Subscriber Identity Module）カードは、ユーザの電話番号、国、契約している通信事業者などの情報が格納されているＩＣカードである。ＳＩＭカードを他のＳＩＭカードに差し替えることで、携帯電話機が使用する通信ネットワークを切り替えることができる。
【０００３】
例えば、ユーザが通信事業者Ａのネットワークの圏外のエリアに居たとしても、そのエリアが通信事業者Ｂのネットワークの圏内であれば、通信事業者ＡのＳＩＭカードから通信事業者ＢのＳＩＭカードに差し替えることで、その携帯電話機は通信可能となる。
【０００４】
また、通信事業者間においてローミング契約がなされている場合、ユーザはローミングサービスを利用することができる。ローミングサービスとは、例えばユーザが通信事業者Ａのネットワークの圏外のエリアに居たとしても、通信事業者ＡのＳＩＭカードを用いて、通信事業者Ｂのネットワークを利用することで通信可能となるようにするサービスである。
【０００５】
ただし、一般的に、ローミング利用時の通信料金は、通常の通信料金よりも高額となる。そのため、ローミング利用時に、そのネットワークの圏内となるＳＩＭカードをユーザが所持していた場合、ユーザがＳＩＭカードを差し替えることで、通信料金を抑えることができる。
【０００６】
このように、複数のＳＩＭカードを所持することにより、あるＳＩＭカードでは圏外となるような場合でも、他のＳＩＭカードに差し替えて通信することが可能となり、また、ローミング利用を避けることも可能となる。これについて、図５および図６に基づいて説明する。
【０００７】
図５は、従来の移動通信端末を、ＳＩＭカードの差し替えによって、圏外であることによって通信不能な状態から通信可能な状態に遷移させた例を示す図である。また、図６は、従来の移動通信端末を、ＳＩＭカードの差し替えによってローミング状態から非ローミング状態に遷移させた例を示す図である。
【０００８】
図５に示す３つの状態のうち、左端の状態では、通信事業者ＡのＳＩＭカード１００および通信事業者ＢのＳＩＭカード１０１のうち、通信事業者ＡのＳＩＭカード１００を移動通信端末２００に装着した状態を示している。
【０００９】
また、この状態では、移動通信端末２００が存在する場所は、通信事業者Ｂのサービス圏内であるが、装着中のＳＩＭカード１００の通信事業者Ａのサービス圏外である。このため、移動通信端末２００は、通信不能な状態であり、着信を受けることもできないが、移動通信端末２００のユーザはこれに気付いていない。
【００１０】
図５の中央に示す状態においても、移動通信端末２００には、通信事業者ＡのＳＩＭカード１００が装着されている。そして、移動通信端末２００の存在する場所は、通信事業者Ｂのサービス圏内であるが、装着中のＳＩＭカード１００の通信事業者Ａのサービス圏外である。このため、移動通信端末２００は、依然として通信不能な状態である。
【００１１】
ここで、移動通信端末２００のユーザは、圏外となっていることに気付き、通信事業者ＢのＳＩＭカード１０１に差し替える。これにより、同図の右端に示す状態となる。
【００１２】
この状態では、移動通信端末２００の存在する場所は、通信事業者Ｂのサービス圏内であり、移動通信端末２００には通信事業者ＢのＳＩＭカード１０１が装着されているので、通信が可能となり、着信を受けることも可能となる。
【００１３】
このように、複数のＳＩＭカードを所持している場合であっても、通信事業者Ａの圏外に居ることに気付かなかった場合、外部と連絡がとれない状況に陥ってしまう。
【００１４】
また、図６においても３つの状態が示されている。このうち、左端の状態では、図５の左端の状態と同様に、移動通信端末２００は、ＳＩＭカード１００（通信事業者ＡのＳＩＭカード）を装着しているにも関わらず、通信事業者Ｂのネットワークの圏内に居る。
【００１５】
しかしながら、図６の例では、図５の例と異なり、ローミングサービスを利用することによって、移動通信端末２００は、通信可能な状態となっている。ただし、ローミングサービスを利用するため、通常と比べて通信料は高額となってしまう。そして、ユーザは、ローミング利用状態となっていることに気付いていない。
【００１６】
同図の中央に示す状態においても、移動通信端末２００には、通信事業者ＡのＳＩＭカード１００が装着されている。そして、移動通信端末２００の存在する場所は、通信事業者Ｂのサービス圏内であるが、装着中のＳＩＭカード１００の通信事業者Ａのサービス圏外である。このため、移動通信端末２００は、依然としてローミング利用状態である。
【００１７】
ここで、移動通信端末２００のユーザは、ローミング利用となっていることに気付き、通信事業者ＢのＳＩＭカード１０１に差し替える。これにより、同図の右端に示す状態となる。
【００１８】
この状態では、移動通信端末２００の存在する場所は、通信事業者Ｂのサービス圏内であり、移動通信端末２００には通信事業者ＢのＳＩＭカード１０１が装着されているので、ローミングを行うことなく通信が可能となり、通信料も通常となる。
【００１９】
このように、通信事業者ＢのＳＩＭカード１０１を所持している場合であっても、ローミング利用状態となっていることに気付かなければ、ローミングによる通信を行うことになり、後日、通信事業者から高額な通信料金を請求されてしまう。
【００２０】
したがって、使用可能なＳＩＭカードを所持しているにもかかわらず、圏外となったりローミング利用となったりすることを避けるために、ユーザは、圏外やローミング利用状態に気付き、その場所に適したＳＩＭカードに差し替える必要があった。
【００２１】
ここで、ＳＩＭカードを用いた移動通信端末に関する先行文献としては、例えば下記の特許文献１〜５が挙げられる。そして、このうち特許文献３には、上記のような手間を省くための技術が開示されている。
【００２２】
具体的には、特許文献３には、無線部で検出したセルからの受信レベルの上位順にネットワーク事業者を選択し、ネットワーク事業者の国番号及びネットワーク番号と、装着中の複数のＵＳＩＭカードに記載されている値とを比べることが記載されている。そして、値が一致するＵＳＩＭカードがあれば、そのＵＳＩＭカードを使ってネットワーク事業者に位置登録し、ネットワーク事業者のサービスを受けることが記載されている。
【先行技術文献】
【特許文献】
【００２３】
【特許文献１】特開２００６−２９５６８４号公報（２００６年１０月２６日公開）
【特許文献２】特開２００７−１８９３９４号公報（２００７年  ７月２６日公開）
【特許文献３】特開２００７−２３５４９２号公報（２００７年  ９月１３日公開）
【特許文献４】特開２００７−２５９１９８号公報（２００７年１０月  ４日公開）
【特許文献５】特開２０１０−１４１８３８号公報（２０１０年  ６月２４日公開）
【発明の概要】
【発明が解決しようとする課題】
【００２４】
上記特許文献３の発明では、装着中のＵＳＩＭカードの中から、使用するＵＳＩＭカードを選択している。このため、図５、図６の例で示したような、移動通信端末に装着していないが、移動通信端末のユーザが保持しているＳＩＭカードが存在する場合に、カードを切り替えることができないという問題があった。
【００２５】
なお、これはＳＩＭカードやＵＳＩＭカードを用いる移動通信端末のみで生じる問題ではなく、特定の通信ネットワークを使用するための記録媒体を装着して、装着した記録媒体に応じた通信ネットワークを介した通信を行う通信装置に共通して生じる問題である。
【００２６】
本発明は、上記の問題点に鑑みてなされたものであり、その目的は、装着することによって通信装置を通信可能な状態とすることのできる記録媒体を判断することができる通信装置等を実現することにある。
【課題を解決するための手段】
【００２７】
上記の課題を解決するために、本発明の通信装置は、特定の通信ネットワークを使用するための記録媒体を装着して、装着した記録媒体に応じた通信ネットワークを介した通信を行う通信装置であって、装着の候補となる記録媒体を特定する媒体特定情報を記憶する記憶部と、上記通信装置の現在位置で利用可能な通信ネットワークを検出する検出手段と、上記記憶部に記憶されている上記媒体特定情報で特定される記録媒体のうち、上記検出手段が検出した通信ネットワークを使用するための記録媒体を、装着すべき記録媒体と判断する判断手段とを備えていることを特徴としている。
【００２８】
また、本発明の通信方法は、上記の課題を解決するために、特定の通信ネットワークを使用するための記録媒体を装着して、装着した記録媒体に応じた通信ネットワークを介した通信を行う通信装置による通信方法であって、上記通信装置の現在位置で利用可能な通信ネットワークを検出する検出ステップと、装着の候補となる記録媒体を特定する媒体特定情報を記憶する記憶部に記憶されている媒体特定情報で特定される記録媒体のうち、上記検出ステップで検出した通信ネットワークを使用するための記録媒体を、装着すべき記録媒体と判断する判断ステップとを含むことを特徴としている。
【００２９】
上記の構成によれば、記憶部に記憶されている媒体特定情報で特定される記録媒体のうち、検出した通信ネットワークを使用するための記録媒体を、装着すべき記録媒体と判断する。
【００３０】
すなわち、上記の構成によれば、装着中ではない記録媒体であっても、記憶部に記憶されている媒体特定情報で特定される記録媒体であって、現在位置で利用可能な通信ネットワークを使用するための記録媒体であれば、装着すべき記録媒体と判断する。
【００３１】
これにより、装着中ではない記録媒体を含む候補の中から、現在位置で利用可能な通信ネットワークを使用するための記録媒体、すなわち装着することによって当該通信ネットワークを介した通信が可能になる記録媒体を判断することが可能になる。
【００３２】
そして、このような記録媒体を判断することにより、この記録媒体をユーザに通知して、記録媒体の切り替えを促すことも可能になる。また、複数の記録媒体が装着されている場合には、使用する記録媒体をその記録媒体に自動的に、あるいはユーザの許可を得た上で切り替えることも可能になる。
【００３３】
また、上記通信装置は、記録媒体を装着する装着部を備え、上記判断手段は、上記記憶部に記憶されている上記媒体特定情報で特定される記録媒体、および上記装着部に装着中の記録媒体のうち、上記検出手段が検出した通信ネットワークを使用するための記録媒体を、装着すべき記録媒体と判断することが好ましい。
【００３４】
上記の構成によれば、記録媒体を装着する装着部を備え、記憶部に記憶されている媒体特定情報で特定される記録媒体、および装着部に装着中の記録媒体のうち、検出した通信ネットワークを使用するための記録媒体を、装着すべき記録媒体と判断する。
【００３５】
したがって、装着中ではない記録媒体と、装着中の記録媒体とを含む候補の中から、現在位置で利用可能な通信ネットワークを使用するための記録媒体を判断することが可能になる。
【００３６】
また、上記判断手段は、上記装着部に装着中の記録媒体のうち通信のために選択されている記録媒体により使用される通信ネットワークと、上記検出手段が検出した通信ネットワークのうち通信のために使用されている通信ネットワークとが一致しない場合に、装着すべき記録媒体を判断することが好ましい。
【００３７】
上記の構成によれば、装着部に装着中の記録媒体のうち通信のために選択されている記録媒体により使用される通信ネットワークと、検出した通信ネットワークのうち通信のために使用されている通信ネットワークとが一致しない場合に、装着すべき記録媒体を判断する。
【００３８】
つまり、上記の構成によれば、通信のために選択されている記録媒体が、通信のために使用されている通信ネットワークを使用するためのものである場合、すなわち既に適切な記録媒体が選択されている場合には、装着すべき記録媒体を判断しない。したがって、既に適切な記録媒体が選択されている場合に無駄な判断を行うことを避けることができる。
【００３９】
また、上記通信装置は、該通信装置に装着された記録媒体から、該記録媒体を特定する媒体特定情報を読み出して上記記憶部に記憶する装着履歴記憶手段を備えていることが好ましい。
【００４０】
上記の構成によれば、通信装置に装着された記録媒体から、該記録媒体を特定する媒体特定情報を読み出して記憶部に記憶するので、過去に装着した記録媒体を装着の候補として、装着すべき記録媒体を判断することができる。
【００４１】
また、上記通信装置は、上記判断手段が装着すべきと判断した記録媒体をユーザに認識させるための情報を出力する出力手段を備えていることが好ましい。
【００４２】
上記の構成によれば、装着すべきと判断した記録媒体をユーザに認識させるための情報を出力するので、装着することによって当該ネットワークを介した通信が可能になる記録媒体をユーザに認識させ、記録媒体の切り替えを促すことができる。
【００４３】
なお、上記通信装置は、コンピュータによって実現してもよく、この場合には、コンピュータを上記通信装置の各手段として動作させることにより、上記通信装置をコンピュータにて実現させる制御プログラム、及びそれを記録したコンピュータ読み取り可能な記録媒体も本発明の範疇に入る。
【発明の効果】
【００４４】
以上のように、本発明の通信装置は、装着の候補となる記録媒体を特定する媒体特定情報を記憶する記憶部と、上記通信装置の現在位置で利用可能な通信ネットワークを検出する検出手段と、上記記憶部に記憶されている上記媒体特定情報で特定される記録媒体のうち、上記検出手段が検出した通信ネットワークを使用するための記録媒体を、装着すべき記録媒体と判断する判断手段とを備えている構成である。
【００４５】
また、本発明の通信方法は、以上のように、通信装置の現在位置で利用可能な通信ネットワークを検出する検出ステップと、装着の候補となる記録媒体を特定する媒体特定情報を記憶する記憶部に記憶されている媒体特定情報で特定される記録媒体のうち、上記検出ステップで検出した通信ネットワークを使用するための記録媒体を、装着すべき記録媒体と判断する判断ステップとを含む構成である。
【００４６】
したがって、装着中ではない記録媒体を含む候補の中から、現在位置で利用可能な通信ネットワークを使用するための記録媒体、すなわち装着することによって当該ネットワークを介した通信が可能になる記録媒体を判断することが可能になるという効果を奏する。
【図面の簡単な説明】
【００４７】
【図１】本発明の一実施形態を示す図であり、移動通信端末の要部構成を示すブロック図である。
【図２】上記移動通信端末の圏外時における動作概要を説明する図である。
【図３】上記移動通信端末のローミング利用時における動作概要を説明する図である。
【図４】上記移動通信端末が実行する、最適なＳＩＭカードを通知する通知処理の一例を示すフローチャートである。
【図５】従来技術を示す図であり、従来の移動通信端末を、ＳＩＭカードの差し替えによって、圏外であることによって通信不能な状態から通信可能な状態に遷移させた例を示す図である。
【図６】従来技術を示す図であり、従来の移動通信端末を、ＳＩＭカードの差し替えによってローミング状態から非ローミング状態に遷移させた例を示す図である。
【発明を実施するための形態】
【００４８】
以下、本発明の実施の形態について、図１〜図４に基づいて詳細に説明する。
【００４９】
〈装置構成〉
まず、本実施形態にかかる移動通信端末（通信装置）１の構成を図１に基づいて説明する。図１は、移動通信端末１の要部構成を示すブロック図である。移動通信端末１は、電話やメールなどの通信を行うことが可能な携帯電話機である。なお、図１では省略しているが、移動通信端末１は、一般的な携帯電話機の備える入力部や音声入力部、音声出力部等の機能ブロックも備えている。
【００５０】
図１に示すように、移動通信端末１は、制御部２、記憶部３、無線送受信部４、表示部５、ＳＩＭカード装着部（装着部）６、およびアンテナ３０を備えている。
【００５１】
制御部２は、移動通信端末１の動作を統括して制御するものであり、最適ＳＩＭ判定部（検出手段、判断手段）１０、表示内容生成部（出力手段）１１、およびＳＩＭカード情報結合部（装着履歴記憶手段）１２を含む。
【００５２】
最適ＳＩＭ判定部１０は、移動通信端末１の現在位置で利用可能な通信ネットワークを検出する。そして、ＳＩＭカード装着部６に装着中のＳＩＭカード、および記憶部３に記憶されているＳＩＭカード情報（媒体特定情報）２０で特定されるＳＩＭカードのうち、検出した上記通信ネットワークを使用するためのＳＩＭカードを最適なＳＩＭカードと判断する。
【００５３】
なお、ＳＩＭカード装着部６に装着中のＳＩＭカード、および記憶部３に記憶されているＳＩＭカード情報２０で特定されるＳＩＭカードは、ＳＩＭカード情報結合部１２から通知される。また、最適なＳＩＭカードとは、現在位置で装着すべきＳＩＭカードであり、装着することによって移動体通信端末１を通信可能な状態とするＳＩＭカードである。そして、利用可能な通信ネットワークを検出する上記の処理と、装着すべきＳＩＭカードを判断する上記の処理とは、個別のブロックで実行するようにしてもよい。
【００５４】
表示内容生成部１１は、最適ＳＩＭ判定部１０が最適なＳＩＭカードを判断したときに、そのＳＩＭカードをユーザに認識させるための情報を出力する。具体的には、表示内容生成部１１は、最適ＳＩＭ判定部１０が判断した最適なＳＩＭカードの通信事業者名のテキストデータを表示部５に出力して表示させる。
【００５５】
ＳＩＭカード情報結合部１２は、ＳＩＭカード装着部６に装着中のＳＩＭカード、および記憶部３に記憶されているＳＩＭカード情報２０で特定されるＳＩＭカードを最適ＳＩＭ判定部１０に通知する。
【００５６】
具体的には、ＳＩＭカード情報結合部１２は、ＳＩＭカード装着部６が読み取ったＳＩＭカードを特定するＳＩＭカード情報と、記憶部３から読み出したＳＩＭカード情報２０とを要素に持つリストであるＳＩＭカード候補リストを生成する。そして、これを最適ＳＩＭ判定部１０に出力する。
【００５７】
記憶部３は、移動通信端末１が使用する各種データを記憶する記憶装置であり、過去にＳＩＭカード装着部６に装着されたＳＩＭカードを示すＳＩＭカード情報２０を記憶する。つまり、ＳＩＭカード情報２０は、ＳＩＭカード装着部６に装着されたＳＩＭカードの履歴を示す。詳細は後述するが、ＳＩＭカード情報２０は、装着の候補となるＳＩＭカードを示すものであり、ＳＩＭカード情報２０には、そのＳＩＭカードに対応する通信事業者等を示す情報が含まれる。
【００５８】
無線送受信部４は、電波を送受信するためのアンテナ３０を介して、メールや電話などの無線通信を行う。また、無線送受信部４は、上記の無線通信を行うために、無線通信に使用することのできる通信ネットワークを検出する。具体的には、無線送受信部４は、使用可能な通信ネットワークを示すネットワーク情報を無線通信の基地局から受信する。最適ＳＩＭ判定部１０は、このネットワーク情報を利用して、最適なＳＩＭカードを判定する。なお、詳細は後述するが、通信ネットワーク情報には、無線通信に使用可能な通信ネットワークの通信事業者等を示す情報が含まれる。
【００５９】
表示部５は、画像を表示する表示装置であり、表示内容生成部１１が出力する情報を文字や画像で表示する。
【００６０】
ＳＩＭカード装着部６は、ＳＩＭカードに記録された情報を読み取る装置であり、ＳＩＭカードを装着するためのＳＩＭカードスロットを備えている。ＳＩＭカードスロットは１つに限られず、複数のＳＩＭカードを装着可能なように、複数あってもよい。
【００６１】
なお、ここでは、ＳＩＭカードを用いて通信を行う実施形態を例示して説明するが、本発明は、特定の通信ネットワークを使用するための記録媒体を装着して、該通信ネットワークを介した通信を行う通信装置であれば適用が可能である。
【００６２】
つまり、移動通信端末１は、携帯電話機に限られず、スマートフォン、タブレット端末、ゲーム機等であってもよい。また、移動通信端末１に装着する記録媒体は、特定の通信ネットワークを使用するための記録媒体であればよく、ＳＩＭカードに限られない。例えば、ＵＳＩＭ（Universal Subscriber Identity Module）カード等であってもよい。なお、ＳＩＭやＵＳＩＭは、３ＧＰＰで規格化されている。
【００６３】
〈移動通信端末１の動作概要〉
次に、移動通信端末１の動作概要を図２および図３に基づいて説明する。図２および図３は、移動通信端末１の動作概要を説明する図であり、図２は圏外時、図３はローミング利用時の動作概要をそれぞれ示している。
【００６４】
まず、図２について説明する。図２では、移動通信端末１に対し、通信事業者ＡのＳＩＭカード１００および通信事業者ＢのＳＩＭカード１０１の何れかを装着可能であり、過去にこれらのＳＩＭカードを装着したことがあることを前提としている。
【００６５】
ここで、図２の左側の状態では、通信事業者ＡのＳＩＭカード１００および通信事業者ＢのＳＩＭカード１０１のうち、通信事業者ＡのＳＩＭカード１００を移動通信端末１に装着している。
【００６６】
そして、この状態では、移動通信端末１が存在する場所は、通信事業者Ｂのサービス圏内であるが、装着中のＳＩＭカード１００の通信事業者Ａのサービス圏外である。このため、移動通信端末１は、通信不能な状態であり、着信を受けることもできない。
【００６７】
このような場合に、移動通信端末１は、現在の位置で利用可能な通信事業者ＢのＳＩＭカード１０１を最適なＳＩＭカードとしてユーザに通知する。これにより、ユーザは、通知に従って通信事業者ＢのＳＩＭカード１０１に差し替える。その結果、同図の右側に示すように、移動通信端末１は着信可能な状態となる。
【００６８】
次に、図３について説明する。図３の例においても、図２の例と同様に、移動通信端末１には、通信事業者ＡのＳＩＭカード１００または通信事業者ＢのＳＩＭカード１０１を装着可能である。そして、移動通信端末１が存在する場所は、通信事業者Ｂのサービス圏内であるが、通信事業者Ａのサービス圏外である。
【００６９】
なお、図３の例では、図２の例と異なり、通信事業者Ｂのサービス圏内であっても、ローミングサービスを利用することにより、通信事業者ＡのＳＩＭカード１００にて通信を行うことが可能である。ただし、ローミング利用時の通信料は、非ローミング利用時と比べて高額となっている。
【００７０】
このような場合に、移動通信端末１は、現在の位置でローミングせずに利用可能な通信事業者ＢのＳＩＭカード１０１を最適なＳＩＭカードとしてユーザに通知する。これにより、ユーザは、通知に従って通信事業者ＢのＳＩＭカード１０１に差し替える。その結果、同図の右側に示すように、移動通信端末１は通常の通信料で通信可能な状態となる。
【００７１】
なお、上記では、ＳＩＭカードを差し替える例を示しているが、移動通信端末１が複数のＳＩＭカードスロットを備えており、双方のＳＩＭカードが装着されている場合には、表示部５に表示される画面に応じた入力操作で最適なＳＩＭカードへの切り換えを行ってもよい。
【００７２】
このように、本実施形態における移動通信端末１は、サービス圏外やローミング利用時において、最適なＳＩＭカードを検出し、ユーザに通知する。また、移動通信端末１は、移動通信端末１に現在装着されていないＳＩＭカードであっても、過去に装着したことのあるＳＩＭカードであれば、これを最適なＳＩＭカードとして通知することができる。
【００７３】
したがって、移動通信端末１は、複数のＳＩＭカードを装着しているが、最適なＳＩＭカードが選択されていない場合の他、最適なＳＩＭカードを所持しているが、これを装着していない場合であっても、その最適なＳＩＭカードを通知することができる。
【００７４】
〈処理の流れ〉
次に、移動通信端末１が実行する処理の流れを図４に基づいて説明する。図４は、移動通信端末１が実行する、最適なＳＩＭカードを通知する通知処理（通信方法）の一例を示すフローチャートである。なお、通知処理を実行するタイミングは特に限定されず、例えば移動通信端末１の動作中（電源がＯＮ状態のとき）に、所定の周期で実行してもよい。
【００７５】
まず、ＳＩＭカード情報結合部１２は、ＳＩＭカード装着部６から、移動通信端末１が現在装着中のＳＩＭカードを示すＳＩＭカード情報を取得する（Ｓ１）。具体的には、ＳＩＭカード内のＩＭＳＩというデータを読み取り、その中のＭＣＣ／ＭＮＣというパラメータをＳＩＭカード情報として取得する。なお、ＳＩＭ／ＵＳＩＭにおけるＭＣＣ／ＭＮＣの記録領域は、規格で定義されている。
【００７６】
なお、ＳＩＭカード装着部６が複数のＳＩＭカードスロットを有し、複数のＳＩＭカードが装着されている場合には、ＳＩＭカード情報結合部１２は、装着中の各ＳＩＭカードを示す装着中ＳＩＭカードリストを生成する。
【００７７】
ここで、ＭＣＣ／ＭＮＣについて説明する。ＭＣＣ／ＭＮＣとは、ＭＣＣ：Mobile Country Code、ＭＮＣ：Mobile Network Codeのことであり、前者ＭＣＣは国コードを表し、後者ＭＮＣは通信事業者コードを表す。ＭＣＣ／ＭＮＣは、通信事業者のみが設定できるパラメータであり、このパラメータの値によって通信事業者が一意に特定できる。例えば、国コードが“440”の国の、通信事業者コードが“100”通信事業者Ａは、ＭＣＣ／ＭＮＣの値が“440/100”となる。同様に、国コードが“440”の国の、通信事業者コードが“200”通信事業者Ｂは、ＭＣＣ／ＭＮＣの値が“440/200”となる。
【００７８】
このように、ＳＩＭカードから読み出したＭＣＣ／ＭＮＣによって、そのＳＩＭカードに対応する通信事業者を一意に特定することができる。また、ＭＣＣ／ＭＮＣによって、そのＳＩＭカードによって何れの通信ネットワークを使用した通信が可能であるかを特定することができる。このため、移動通信端末１は、ＳＩＭカードおよび該ＳＩＭカードによって使用可能となる通信ネットワークを特定するパラメータとしてＭＣＣ／ＭＮＣを利用する。
【００７９】
次に、ＳＩＭカード情報結合部１２は、記憶部３から、移動通信端末１が過去に装着したＳＩＭカードのＳＩＭカード情報２０を取得する（Ｓ２）。このＳＩＭカード情報２０は、具体的には、ＳＩＭカード装着部６にＳＩＭカードが装着されたときに、そのＳＩＭカードから読み出したＭＣＣ／ＭＮＣを記憶しておいたものである。
【００８０】
そして、ＳＩＭカード情報結合部１２は、Ｓ１およびＳ２で取得したＳＩＭカード情報を結合して、最適なＳＩＭカードとなりうる候補のリストである、ＳＩＭカード候補リストを生成する（Ｓ３）。
【００８１】
具体的には、ＳＩＭカード装着部６に複数のＳＩＭカードが装着されている場合には、Ｓ１で生成した装着中ＳＩＭカードリストと、記憶部３から取得したＳＩＭカード情報２０とをマージする。そして、これにより、ＳＩＭカードリストおよびＳＩＭカード情報２０に含まれる各ＳＩＭカード情報を要素とするＳＩＭカード候補リストとする。
【００８２】
また、ＳＩＭカード装着部６に装着されているＳＩＭカードが１つの場合には、ＳＩＭカード装着部６から取得したＳＩＭカード情報と、記憶部３から取得したＳＩＭカード情報２０とを要素として含むＳＩＭカード候補リストを生成する。
【００８３】
さらに、最適ＳＩＭ判定部１０は、ＳＩＭカード候補リストを生成する際には、ＳＩＭカード装着部６が装着中のＳＩＭカード数にかかわらず、移動通信端末１が現在適用しているＳＩＭカードを特定するための選択判定フラグを設定しておく。設定した選択判定フラグは、後述のＳ６において、最適ＳＩＭ判定部１０が利用する。ここでは、移動通信端末１が適用中のＳＩＭカードのＳＩＭカード情報の選択判定フラグの値を“１”、それ以外のＳＩＭカードのＳＩＭカード情報の選択判定フラグの値を“０”と設定する。
【００８４】
この後、ＳＩＭカード情報結合部１２は、生成したＳＩＭカード候補リストを、最適ＳＩＭ判定部１０に入力する。また、次回以降の通知処理で使用するため、生成したＳＩＭカード候補リストをＳＩＭカード情報２０として記憶部３に保存する。
【００８５】
一方、無線送受信部４は、現在通信可能な通信ネットワークを探索して検出している。このため、最適ＳＩＭ判定部１０は、無線送受信部４が検出した上記通信ネットワークを示すネットワーク情報を当該無線送受信部４から取得して、ネットワーク情報リストを生成する（Ｓ４、検出ステップ）。
【００８６】
具体的には、最適ＳＩＭ判定部１０は、現在通信可能な通信ネットワークのＭＣＣ／ＭＮＣを、ネットワーク情報として無線送受信部４から取得し、取得したＭＣＣ／ＭＮＣを要素に含むネットワーク情報リストを生成する。
【００８７】
また、最適ＳＩＭ判定部１０は、ネットワーク情報リストを生成する際、現在接続中の通信ネットワークを特定するための接続判定フラグを設定しておく。設定した接続判定フラグは、後述のＳ６において、最適ＳＩＭ判定部１０が利用する。ここでは、接続中の通信ネットワークのネットワーク情報の接続判定フラグの値を“１”、それ以外の通信ネットワークのネットワーク情報の接続判定フラグの値を“０”と設定する。
【００８８】
次に、最適ＳＩＭ判定部１０は、選択中のＳＩＭカードのＭＣＣ／ＭＮＣと、接続中の通信ネットワークのＭＣＣ／ＭＮＣとが一致するか判定する（Ｓ５）。具体的には、ＳＩＭカード候補リストで選択判定フラグの値が“１”のＭＣＣ／ＭＮＣと、ネットワーク情報リストで接続判定フラグの値が“１”のＭＣＣ／ＭＮＣとが一致するか判定する。
【００８９】
ここで、一致すると判定した場合（Ｓ５でＹＥＳ）、最適ＳＩＭ判定部１０は、ＳＩＭカードの通知は行わず、通知処理を終了する。これは、既に最適なＳＩＭカードが選択され、これによる通信が可能な状態であるためである。一方、一致しないと判定した場合（Ｓ５でＮＯ）、最適なＳＩＭカードを判断するＳ６以下の処理に進む。
【００９０】
このように、図示の通知処理では、通信のために選択されているＳＩＭカードにより使用される通信ネットワークと、通信のために使用されている通信ネットワークとが一致しない場合に、装着すべきＳＩＭカードを判断する。これにより、既に適切なＳＩＭカードが選択されている場合に、装着すべきＳＩＭカードを判断するという無駄な処理を避けることができる。
【００９１】
Ｓ６では、最適ＳＩＭ判定部１０は、ＳＩＭカード情報結合部１２から入力されたＳＩＭカード候補リストと、Ｓ４で生成したネットワーク情報リストとを比較検証して、ＭＣＣ／ＭＮＣが一致するか判定する。
【００９２】
具体的には、最適ＳＩＭ判定部１０は、ＳＩＭカード候補リストの各要素であるＭＣＣ／ＭＮＣについて、ネットワーク情報リストの各要素であるＭＣＣ／ＭＮＣと一致するか比較していく。つまり、Ｓ６では、ＳＩＭカード候補リストに示されるＳＩＭカードのうち、ネットワーク情報リストに示される通信ネットワークを介した通信を可能にするＳＩＭカードを検索する。
【００９３】
ここで、一致するＭＣＣ／ＭＮＣが検出されなかった場合（Ｓ６でＮＯ）には、ＳＩＭカードの通知は行わず、通知処理を終了する。これは、検出された通信ネットワークに対応する最適なＳＩＭカードが存在しないためである。
【００９４】
一方、一致するＭＣＣ／ＭＮＣが検出された場合（Ｓ６でＹＥＳ）には、一致したＭＣＣ／ＭＮＣを、最適なＳＩＭカードに対応するＳＩＭカード情報（ＭＣＣ／ＭＮＣ）と決定する（Ｓ７、判断ステップ）。つまり、一致したＭＣＣ／ＭＮＣで特定されるＳＩＭカードを、最適なＳＩＭカードであると決定する。
【００９５】
このようにして決定したＳＩＭカード情報は、現在使用可能な通信ネットワークを介した通信を可能にするＳＩＭカードを示している。そして、最適ＳＩＭ判定部１０は、このＭＣＣ／ＭＮＣを表示内容生成部１１に出力する。
【００９６】
なお、Ｓ６において一致したＭＣＣ／ＭＮＣが複数検出された場合には、予め定めた基準に従って、１つのＭＣＣ／ＭＮＣを最適と決定する。この基準としては、例えばユーザが予め設定した優先度、当該ＭＣＣ／ＭＮＣに対応する通信ネットワークの電波強度等が挙げられる。
【００９７】
また、一致したＭＣＣ／ＭＮＣが複数検出された場合、検出された複数のＭＣＣ／ＭＮＣを最適と決定してもよい。この場合、各ＭＣＣ／ＭＮＣに対応する表示用の情報を表示して、ユーザにＳＩＭカードを選択させればよい。
【００９８】
次に、表示内容生成部１１は、入力されたＭＣＣ／ＭＮＣから、表示部５に表示する情報として、ユーザが差し替える（切り替える）べきＳＩＭカードを認識できるような情報を生成する（Ｓ８）。
【００９９】
具体的には、予め用意した、各ＭＣＣ／ＭＮＣと、対応する各通信事業者名とが対応付けられたテーブルを参照して、入力されたＭＣＣ／ＭＮＣに対応付けられた通信事業者名を、表示する情報として生成する。
【０１００】
例えば、“440/100”というＭＣＣ／ＭＮＣに対し、対応する通信事業者名である“通信事業者Ａ”という文字列を対応付けたテーブルを用いた場合に、“440/100”とのＭＣＣ／ＭＮＣが出力されたときには、“通信事業者Ａ”という文字列を生成する。
【０１０１】
そして、表示内容生成部１１は、生成した情報を表示部５に表示させ（Ｓ９）、これにより通知処理を終了する。
【０１０２】
なお、上記の通知処理では、装着中のＳＩＭカードのＳＩＭカード情報を取得して、ＳＩＭカード情報リストを生成しているが、ＳＩＭカード情報リストは、新たなＳＩＭカードが装着されるまで更新されないので、通知処理を行う前に予め生成しておいてもよい。
【０１０３】
例えば、過去に装着されていない（ＳＩＭカード情報２０として記憶されていない）ＳＩＭカードが装着されたとき等に、そのＭＣＣ／ＭＮＣをＳＩＭカード情報２０に追加してＳＩＭカード情報２０を更新するようにしてもよい。この場合、通知処理では、Ｓ１およびＳ３の処理を省略することができる。
【０１０４】
また、装着可能なＳＩＭカードが１つのみである場合、装着中のＳＩＭカードが最適であれば通知処理を行う必要はないため、装着中のＳＩＭカードを選択の候補とする必要はない。したがって、この場合にも、Ｓ１およびＳ３の処理を省略することができる。ただし、Ｓ１の処理は、過去に装着されていない（ＳＩＭカード情報２０として記憶されていない）ＳＩＭカードが装着されたとき等に実行して、そのＭＣＣ／ＭＮＣをＳＩＭカード情報２０に追加することが望ましい。
【０１０５】
また、上記の通知処理では、Ｓ５の処理の後にＳ６の処理を行っているが、Ｓ６の処理を先に行い、その後Ｓ５の処理を行ってもよい。
【０１０６】
さらに、上記の通知処理では、最適なＳＩＭカードが検出されなかった場合（Ｓ５でＹＥＳまたはＳ６でＮＯ）に、ユーザへの通知を行っていないが、通知を行うようにしてもよい。例えば、現在使用可能なネットワークに対応するＳＩＭの購入（契約）をユーザに勧める通知を行ってもよい。この場合、例えば「通信事業者Ａ、Ｂのネットワーク圏内です。お客様の過去利用履歴がないエリアとなっておりますので、新たにＳＩＭをご契約されることをおすすめします。」のようなメッセージを表示させてもよい。
【０１０７】
〈図２、図３の例における処理〉
図４に示した通知処理により、図２および図３に示したような状況下で最適なＳＩＭカードを通知することができる。
【０１０８】
すなわち、図２の例では、通信事業者Ｂの通信ネットワーク圏内で、移動通信端末１に通信事業者ＡのＳＩＭカード１００が装着されており、移動通信端末１には、過去に通信事業者ＢのＳＩＭカード１０１を装着したことがある。
【０１０９】
このため、Ｓ１〜Ｓ３では、ＳＩＭカード１００のＭＣＣ／ＭＮＣと、ＳＩＭカード１０１のＭＣＣ／ＭＮＣとを含むＳＩＭカード候補リストが生成される。また、Ｓ４では、通信事業者Ｂの通信ネットワークが検出され、通信事業者ＢのＭＣＣ／ＭＮＣを含む通信ネットワーク情報リストが生成される。
【０１１０】
また、接続中の通信ネットワークが存在しないため、Ｓ５ではＮＯと判定されてＳ６に進む。そして、Ｓ６ではＳＩＭカード候補リストに含まれるＳＩＭカード１０１のＭＣＣ／ＭＮＣと、通信ネットワーク情報リストに含まれる通信事業者ＢのＭＣＣ／ＭＮＣとの一致が検出される。ＳＩＭカード１０１は、通信事業者ＢのＳＩＭカードであるからである。
【０１１１】
これにより、Ｓ７では、一致したＭＣＣ／ＭＮＣに対応するＳＩＭカードが最適なＳＩＭカードであると決定される。そして、Ｓ８ではこれに対応する表示用の情報として、例えば通信事業者Ｂの事業者名の文字列が生成され、Ｓ９ではこれが表示部５に表示される。
【０１１２】
一方、図３の例においても、通信事業者Ｂの通信ネットワーク圏内で、移動通信端末１に通信事業者ＡのＳＩＭカード１００が装着されており、ローミング利用により通信可能となっている。また、移動通信端末１には、過去に通信事業者ＢのＳＩＭカード１０１を装着したことがある。
【０１１３】
このため、図２の例と同様に、Ｓ１〜Ｓ３では、ＳＩＭカード１００のＭＣＣ／ＭＮＣと、ＳＩＭカード１０１のＭＣＣ／ＭＮＣとを含むＳＩＭカード候補リストが生成される。また、Ｓ４では、通信事業者Ｂの通信ネットワークが検出され、通信事業者ＢのＭＣＣ／ＭＮＣを含むネットワーク情報リストが生成される。
【０１１４】
ここでは、通信事業者Ｂの通信ネットワークに接続中であるが、通信事業者ＡのＳＩＭカード１００が装着されていない。このため、選択中のＳＩＭカードのＭＣＣ／ＭＮＣと、接続中の通信ネットワークのＭＣＣ／ＭＮＣとが一致しない（Ｓ５でＮＯ）と判定されて、Ｓ６に進む。
【０１１５】
以下、図２の例と同様に、ＳＩＭカード候補リストに含まれるＳＩＭカード１０１のＭＣＣ／ＭＮＣと、ネットワーク情報リストに含まれる通信事業者ＢのＭＣＣ／ＭＮＣとの一致が検出され、最適なＳＩＭカードが決定される。そして、これに対応する表示用の情報が生成され、表示される（Ｓ７〜Ｓ９）。
【０１１６】
〈変形例〉
なお、上記の例では、最適なＳＩＭカードに対応する表示用の情報を生成して表示することによってユーザへの通知を行っているが、ユーザへの通知は、最適なＳＩＭカードをユーザが認識できるような態様であればよく、この例に限られない。例えば、音声で通知を行ってもよい。
【０１１７】
また、複数のＳＩＭカードを装着可能な場合に、最適なＳＩＭカードを決定したときには、自動的にこのＳＩＭカードに切り替えを行ってもよいし、切り替えの可否を選択させる画面を表示して、ユーザが切り替えを選択した場合に切り替えてもよい。
【０１１８】
さらに、上記の例では、ＳＩＭカード情報２０として、過去に装着されたＳＩＭカードのそれぞれに対応する各ＭＣＣ／ＭＮＣを用いる例を示したが、この例に限られない。例えば、新しいＳＩＭカードを購入して未装着の場合や、所持していた複数のＳＩＭカードの一部を解約した場合等に対応できるよう、ユーザがＳＩＭカード情報２０を追加・編集できるようにしてもよい。
【０１１９】
また、一定期間使用されていないＳＩＭカードは、ユーザに使用する意図がないものであったり、解約済みであったりすることが想定される。このため、ＳＩＭカード情報２０を記録するときに、記録日時を合わせて記録しておき、一定期間使用されていないＳＩＭカードに対応するＳＩＭカード情報２０を自動的に削除するようにしてもよい。
【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２１】
最後に、移動通信端末１の各ブロック、特に制御部２は、集積回路（ＩＣチップ）上に形成された論理回路によってハードウェア的に実現してもよいし、ＣＰＵ（Central Processing Unit）を用いてソフトウェア的に実現してもよい。
【０１２２】
後者の場合、移動通信端末１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである移動通信端末１の制御プログラムのプログラムコード（実行形式プログラム、中間コードプログラム、ソースプログラム）をコンピュータで読み取り可能に記録した記録媒体を、上記移動通信端末１に供給し、そのコンピュータ（またはＣＰＵやＭＰＵ）が記録媒体に記録されているプログラムコードを読み出し実行することによっても、達成可能である。
【０１２３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１２４】
また、移動通信端末１は通信ネットワークと接続可能に構成されているため、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２５】
本発明は、例えば携帯電話機、スマートフォン、タブレット端末、ゲーム機等の移動通信端末に利用することができる。
【符号の説明】
【０１２６】
１  移動通信端末（通信装置）
３  記憶部
６  ＳＩＭカード装着部（装着部）
１０  最適ＳＩＭ判定部（検出手段、判断手段）
１１  表示内容生成部（出力手段）
１２  ＳＩＭカード情報結合部（装着履歴記憶手段）
２０  ＳＩＭカード情報（媒体特定情報）
１００、１０１  ＳＩＭカード（記録媒体）
【図１】
2013255081.tif 000003
【図２】
2013255081.tif 000004
【図３】
2013255081.tif 000005
【図４】
2013255081.tif 000006
【図５】
2013255081.tif 000007
【図６】
2013255081.tif 000008